(57)【特許請求の範囲】
【請求項１】
被提供者の生体信号を受け付ける手段と、
上記受け付けた生体信号に基づき上記被提供者の心身状態を判定する手段と、
上記判定された心身状態に基づき上記被提供者の脳波を刺激する物理的因子を選択する手段と、
上記選択された物理的因子の提供開始時刻を決定する手段と、
上記選択された物理的因子を上記被提供者に提供する提供手段と、
を備えた装置であって、
上記決定した提供開始時刻または提供開始時刻前に、物理的因子の提供を開始する旨を上記被提供者に通知する手段と、
上記通知を受けた被提供者が操作をする操作手段と、
を有してなり、
上記提供手段は、上記操作手段が操作された後に、上記選択された物理的因子を上記被提供者に提供することを特徴とする物理的因子提供装置。
【請求項２】
判定した被提供者の心身状態に基づき提供する物理的因子の属性を変更する手段、をさらに有する請求項１記載の物理的因子提供装置。
【請求項３】
提供する物理的因子は、聴覚的刺激または視覚的刺激である請求項１または２に記載の物理的因子提供装置。
【請求項４】
被提供者の生体信号は、通信ネットワークを介して受付け、
選択した物理的因子は、上記通信ネットワークを介して提供する請求項１乃至３のいずれかに記載の物理的因子提供装置。
【請求項５】
コンピュータを、請求項１乃至４のいずれかに記載の物理的因子提供装置として機能させることを特徴とする物理的因子提供プログラム。
【請求項６】
コンピュータプログラムを記録したコンピュータ読取可能な記録媒体であって、
上記コンピュータプログラムは、請求項５記載の物理的因子提供プログラムであることを特徴とするコンピュータ読取可能な記録媒体。
【発明の詳細な説明】
【０００１】
【発明の属する技術分野】
本発明は、被提供者の生体信号に基づき決定する心身状態に応じて、被提供者の脳波を刺激する物理的因子の提供に関するものである。
【０００２】
【従来の技術】
従来より、アルファ波がリラックスしているときに多く出てくることや、アルファ波が多く出ているときに学習効果などが高いことは知られている。そのため、アルファ波が多く出る、つまりリラックスできる音楽や映像などを提供する商品やサービスが、市場に氾濫している。
【０００３】
【発明が解決しようとする課題】
しかしながら、たとえば同じ音楽を聴いたとしても、リラックスできるか否かは、聴く者の趣向などに左右されるものである。また、たとえ同じ者が同じ音楽を聴いたとしても、音楽を聴く時のその者の心身状態、たとえばストレス度の高低によって、リラックスできる音楽は異なり、また音楽を聴き始めてから効果が現れるまでの時間は異なるものである。
【０００４】
本発明は以上のような従来の実情に鑑みてなされたもので、たとえばアルファ波を多く出したいなど、脳波を所定の状態に変化させることを希望する者に対して、その者の心身状態に応じて脳波を刺激する物理的因子を提供すること、及び心身状態に応じて脳波を刺激する効果を高めることができる物理的因子の提供開始時刻を決定することを目的とする。
【０００５】
【課題を解決するための手段】
請求項１記載の発明は、被提供者の心身状態に応じて被提供者の脳波を刺激する物理的因子を提供する方法であって、あらかじめ、被提供者の心身状態と脳波を刺激する物理的因子との関係を示す被提供者情報が装置に入力され、装置が被提供者情報を記録するステップと、被提供者の提供条件が装置に入力されるステップと、装置が、記録した被提供者情報を参照して、提供条件に基づき被提供者に提供する物理的因子を選択するステップと、装置が、選択した物理的因子を被提供者に提供するステップ、とを有することを特徴とする。
【０００６】
請求項２記載の発明は、被提供者の心身状態に応じて被提供者の脳波を刺激する物理的因子を提供する方法であって、あらかじめ、被提供者の心身状態と脳波を刺激する物理的因子との関係を示す被提供者情報が装置に入力され、装置が被提供者情報を記録するステップと、被提供者の生体信号が装置に入力されるステップと、装置が、入力された生体信号に基づき被提供者の心身状態を判定するステップと、装置が、記録した被提供者情報を参照して、判定した心身状態に基づき被提供者に提供する物理的因子を選択するステップと、装置が、選択した物理的因子を被提供者に提供するステップ、とを有することを特徴とする。
【０００７】
請求項３記載の発明は、被提供者の心身状態に応じて被提供者の脳波を刺激する物理的因子を提供する方法であって、あらかじめ、被提供者の心身状態と脳波を刺激する物理的因子との関係を示す被提供者情報が装置に入力され、装置が被提供者情報を記録するステップと、被提供者の生体信号と、脳波の変化を希望する時刻が装置に入力されるステップと、装置が、入力された生体信号に基づき被提供者の心身状態を判定するステップと、装置が、記録した被提供者情報を参照して、判定した心身状態に基づき被提供者に提供する物理的因子を選択すると共に、入力された時刻に基づき選択した物理的因子の提供開始時刻を決定するステップと、装置が、選択した物理的因子を決定した提供開始時刻に被提供者に提供するステップ、とを有することを特徴とする。
【０００８】
請求項４記載の発明は、請求項１乃至３のいずれかに記載の発明において、あらかじめ、被提供者の心身状態と脳波を刺激する物理的因子との関係を示す被提供者情報が装置に入力され、装置が被提供者情報を記録するステップ、に代えて、あらかじめ、被提供者とは別の被提供者の心身状態と脳波を刺激する物理的因子との関係を示す被提供者情報が装置に入力され、装置が被提供者情報を記録するステップ、としたことを特徴とする。
【０００９】
請求項５記載の発明は、請求項１乃至４のいずれかに記載の発明において、装置が、被提供者の心身状態に基づき提供する物理的因子の属性を変更するステップ、をさらに有することを特徴とする。
【００１０】
請求項６記載の発明は、請求項１乃至５のいずれかに記載の発明において、装置が提供する物理的因子は、聴覚的刺激または視覚的刺激であることを特徴とする。
【００１１】
請求項７記載の発明は、請求項１乃至６のいずれかに記載の発明において、被提供者の提供条件または生体信号は、通信ネットワークを介して装置に入力され、装置は、選択した物理的因子を通信ネットワークを介して提供することを特徴とする。
【００１２】
請求項８記載の発明は、請求項１乃至７のいずれかに記載の発明において、装置が、選択した物理的因子を提供する前にその旨を被提供者に通知するステップ、をさらに有することを特徴とする。
【００１３】
請求項９記載の発明は、被提供者の心身状態に応じて被提供者の脳波を刺激する物理的因子を提供する装置であって、あらかじめ、被提供者の心身状態と脳波を刺激する物理的因子との関係を示す被提供者情報を受付けて記録する手段と、被提供者の提供条件を受付ける手段と、記録した被提供者情報を参照して、提供条件に基づき被提供者に提供する物理的因子を選択する手段と、選択した物理的因子を被提供者に提供する手段、とを有してなることを特徴とする。
【００１４】
請求項１０記載の発明は、被提供者の心身状態に応じて被提供者の脳波を刺激する物理的因子を提供する装置であって、あらかじめ、被提供者の心身状態と脳波を刺激する物理的因子との関係を示す被提供者情報を受付けて記録する手段と、被提供者の生体信号を受付ける手段と、受付けた生体信号に基づき被提供者の心身状態を判定する手段と、記録された被提供者情報を参照して、判定した心身状態に基づき被提供者に提供する物理的因子を選択する手段と、選択した物理的因子を被提供者に提供する手段、とを有してなることを特徴とする。
【００１５】
請求項１１記載の発明は、被提供者の心身状態に応じて被提供者の脳波を刺激する物理的因子を提供する装置であって、あらかじめ、被提供者の心身状態と脳波を刺激する物理的因子との関係を示す被提供者情報を受付けて記録する手段と、被提供者の生体信号と脳波の変化を希望する時刻を受付ける手段と、受付けた生体信号に基づき被提供者の心身状態を判定する手段と、記録された被提供者情報を参照して、判定した心身状態に基づき被提供者に提供する物理的因子を選択すると共に、入力された時刻に基づき選択した物理的因子の提供開始時刻を決定する手段と、選択した物理的因子を決定した提供開始時刻に被提供者に提供する手段、とを有してなることを特徴とする。
【００１６】
請求項１２記載の発明は、請求項９乃至１１のいずれかに記載の発明において、あらかじめ、被提供者の心身状態と脳波を刺激する物理的因子との関係を示す被提供者情報を受付けて記録する手段に代えて、あらかじめ、被提供者とは別の被提供者の心身状態と脳波を刺激する物理的因子との関係を示す被提供者情報を受付けて記録する手段、としたことを特徴とする。
【００１７】
請求項１３記載の発明は、請求項９乃至１２のいずれかに記載の発明において、被提供者の心身状態に基づき提供する物理的因子の属性を変更する手段、をさらに有することを特徴とする。
【００１８】
請求項１４記載の発明は、請求項９乃至１３のいずれかに記載の発明において、提供する物理的因子は、聴覚的刺激または視覚的刺激であることを特徴とする。
【００１９】
請求項１５記載の発明は、請求項９乃至１４のいずれかに記載の発明において、被提供者の提供条件または生体信号は、通信ネットワークを介して受付け、選択した物理的因子は、通信ネットワークを介して提供することを特徴とする。
【００２０】
請求項１６記載の発明は、請求項９乃至１５のいずれかに記載の発明において、選択した物理的因子を提供する前にその旨を被提供者に通知する手段、をさらに有することを特徴とする。
【００２１】
請求項１７記載の発明は、コンピュータを、請求項９乃至１６のいずれかに記載の物理的因子提供装置として機能させることを特徴とする。
【００２２】
請求項１８記載の発明は、コンピュータプログラムを記録したコンピュータ読取可能な記録媒体であって、コンピュータプログラムは、請求項１７記載の物理的因子提供プログラムであることを特徴とする。
【００２３】
【発明の実施の形態】
以下、図面を参照しながら本発明にかかる物理的因子提供方法（以下、「本方法」という）と装置（以下、「本装置」という）、並びに物理的因子提供プログラム（以下、「本プログラム」という）と当該プログラムを記録したコンピュータ読取可能な記録媒体（以下、「本記録媒体」という）の実施の形態について説明する。
なお、以下の実施の形態では、心理療法を受ける患者Ａから、治療開始前に指部皮膚温の測定結果と治療開始時刻とを受付けて、患者Ａのストレス度を決定すると共に、決定したストレス度に基づいて、治療開始時刻に患者Ａが最もリラックス状態となるように、つまりアルファ波が最も多く出るように、音楽データを患者Ａに提供する場合を例として説明する。すなわち、「被提供者」は患者Ａ、「生体信号」は指部皮膚温、「心身状態」はストレス度、「脳波の変化」はアルファ波を多く出すこと、「脳波の変化を希望する時刻」は治療開始時刻、「脳波を刺激する物理的因子」はアルファ波が多く出ることを期待できる音楽データである。
【００２４】
図１は、本方法の実施の形態を示すフローチャートである。本方法による患者Ａのアルファ波を高めるための音楽データの提供は、あらかじめ患者Ａの被提供者情報を収集（記録）しておき（Ｓ１）、指部皮膚温を受付け（Ｓ２）、ストレス度を判定し（Ｓ３）、音楽データを選択して（Ｓ４）、提供する（Ｓ５）ことで行う。その後は、Ｓ２乃至Ｓ５を繰り返す。
【００２５】
被提供者情報とは、患者Ａについての心身状態と脳波を刺激する物理的因子との関係を示す情報であり、指部皮膚温からストレス度を判定するために必要な情報と、判定したストレス度に対してアルファ波を高める効果の高い音楽データを選択するための情報と、当該音楽データを聴いてアルファ波が高まるまでの時間（効果時間）とを有してなる。
図２は、被提供者情報の例を示す。ここではストレス度を３段階に分け、それぞれに対応する指部皮膚温と音楽データ並びに効果時間の組合せが示してある。すなわち、たとえば指部皮膚温が「Ｔ２以上」の場合、ストレス度は「高」であると推定でき、この状態でアルファ波を多く出すのに効果のある音楽データは「Ｍ１」であり、効果時間は「Ｉ１」であることを示す。
なお被提供者情報は、実際に患者Ａの指部皮膚温を測定してストレス度との関係を評価して決定し、また所定のストレス度にある患者Ａに複数の音楽データを聴かせてアルファ波の変化を測定することで、最もアルファ波を高めることができ、しかも聴き始めてからアルファ波が高まるまでの時間が短く、さらにアルファ波の高い状態（継続時間）が長い音楽データを評価・選択して決定する。
【００２６】
図３は、本装置の実施の形態の例を示す機能ブロック図である。本方法を実現するための本プログラムが動作している本装置は、その内部に、被提供者情報記録部１１、提供条件受付部１２、心身状態判定部１３、物理的因子選択部１４、物理的因子提供部１５、生体信号測定部２１、付加条件入力部２２、物理的因子受信部２３、とを有してなる。ただし、生体信号測定部２１、付加条件入力部２２、物理的因子受信部２３は、後述する（図４に示す）ように本装置の必須構成要件ではない。
【００２７】
被提供者情報記録部１１は、図示しない手段を用いて入力された患者Ａの被提供者情報を受付けて記録する手段である。
提供条件受付部１２は、患者Ａに音楽データを提供する条件（提供条件）を受付ける手段である。提供条件の例としては、患者Ａのストレス度を判定するための指部皮膚温の他に、後述する付加条件がある。
心身状態判定部１３は、受付けた患者Ａの指部皮膚温に基づき患者Ａのストレス度を判定する手段である。
物理的因子選択部１４は、判定した患者Ａのストレス度に基づき患者Ａに提供する音楽データを選択する手段である。
物理的因子提供部１５は、選択した音楽データを患者Ａに提供（再生）する手段である。
【００２８】
生体信号測定部２１は、患者Ａの指部皮膚温を測定する手段である。
付加条件入力部２２は、患者Ａが音楽データの提供を受けるための付加条件を入力する手段である。付加条件の例としては、治療開始時刻を始め、後述する、音楽データの提供開始前の通知の有無の指定などがある。
物理的因子受信部２３は、患者Ａが音楽データを受信する手段である。物理的因子が、音楽データ（聴覚的刺激）であればスピーカー装置に相当し、たとえば映像データ（視覚的刺激）であればディスプレイ装置に相当する。
【００２９】
以下、本方法による音楽データの提供について説明する。なお、患者Ａについての被提供者情報の収集（所定のストレス度に対するアルファ波を高める最適な音楽データの決定など）はすでに済んでおり、本装置内の被提供者情報記録部１１内に被提供者情報は記録してあるものとする。
【００３０】
先ず本装置は、提供条件受付部１２を用いて、患者Ａの指部皮膚温と治療開始時刻とを受付ける。ここで指部皮膚温は、患者Ａが本装置の生体信号測定部２１を用いて計測した結果であり、また治療開始時刻は、患者Ａが付加条件入力部２２を用いて入力した時刻である。
【００３１】
次に本装置は、心身状態判定部１３を用いて、受付けた指部皮膚温からストレス度を判定する。ここで、患者Ａの指部皮膚温がＴ２以上であったとすると、本装置は、被提供者情報記録部１１に記録した患者Ａの被提供者情報を参照して、ストレス度を「高」と判定する。
【００３２】
次に本装置は、物理的因子選択部１４を用いて、判定したストレス状態に基づき音楽データを選択し、提供開始時刻を決定する。たとえば、判定した患者Ａのストレス度が「高」の場合、本装置は、被提供者情報記録部１１に記録した患者Ａの被提供者情報を参照して、音楽データＭ１を選択すると共に、受付けた治療開始時刻に基づき、患者Ａに音楽データＭ１の提供を開始する時刻を決定する。すなわち本装置は、被提供者情報記録部１１に記録した患者Ａの被提供者情報を参照して、音楽データＭ１の効果が得られる時間Ｉ１を取得し、治療開始時刻の効果時間Ｉ１前を音楽データＭ１の提供開始時刻として決定する。つまり、たとえば治療開始時刻が午前１１時で効果時間Ｉ１が３０分の場合、音楽データＭ１の提供開始時刻は午前１０時３０分と決定する。
【００３３】
次に本装置は、物理的因子提供部１５を用いて、決定した提供開始時刻になると、選択した音楽データＭ１を患者Ａに提供（再生）する。すなわち患者Ａは、物理的因子受信部２３を用いて、音楽データＭ１を聴く。
ここで本装置は、提供開始時刻になると自動的に音楽データＭ１を提供するようにしてもよいし、あるいは、図示しない手段を用いて、提供開始時刻またはその直前に、音楽データの提供を開始する旨を患者Ａに通知（たとえば、本装置の図示しないランプを点灯させる、あるいは、ブザー音を鳴らすなど）するようにしてもよく、通知する場合であれば、患者Ａの許可（たとえば、本装置の図示しないボタンを押下するなど）を受付けた後に音楽データＭ１の提供を開始するようにしてもよい。
【００３４】
以上説明した実施の形態によれば、患者Ａの指部皮膚温から判定したストレス度に応じて、患者Ａのアルファ波を高める音楽データを提供することができる。また、音楽データを提供する際に、判定した患者Ａのストレス度に基づき、治療開始時刻に最も患者Ａのアルファ波を高めることが期待できる音楽データの提供開始時刻を決定することができる。
【００３５】
なお、以上説明した実施の形態において、本装置で動作する本プログラムを記録したコンピュータ読取可能な記録媒体を用いれば、本装置以外の図示しない装置を本装置と同様に機能させることができる。すなわち、本記録媒体に本方法を実現する本プログラムを記録しておき、図示しない装置に本記録媒体に記録された本プログラムを読取らせて実行させることで、当該装置を本装置と同様に機能させることができる。
【００３６】
また、以上説明した実施の形態では、物理的因子の例として音楽データを用いたが、物理的因子は、聴覚的刺激のみならず、たとえば視覚的刺激であってもよく、あるいはそれらの組合せであってもよい。さらに物理的因子の種類（聴覚的刺激、視覚的刺激の別）を被提供者が選択することができるようにしてもよい。
【００３７】
さらに、図示しない手段を用いて、判定した患者Ａのストレス度に基づき患者Ａに提供する音楽データの属性を変更するようにしてもよい。ここで属性とは、音楽データの場合であれば、たとえば周波数帯域やテンポ、あるいはリズムなど、患者Ａの脳波を刺激するために有効な音楽データの要素である。つまり音楽データの属性を変更するとは、患者Ａのストレス度に応じて、たとえば音楽データの特定の周波数帯域を強調することなどである。なお、ストレス度と属性との関係については、あらかじめ被提供者情報として記録しておく。
【００３８】
さらにまた、以上説明した実施の形態では、音楽データを提供する条件として、指部皮膚温の他に、治療開始時刻を受付けるようにしているが、音楽データを提供する条件を指部皮膚温のみとしてもよく、その場合本装置は、選択した音楽データを所定の時期、たとえば指部皮膚温を受付けた直後に提供を開始するなどとしてもよい。
また、心身状態はストレス度に限定するものではなく、心身安定度など、脳波を刺激する物理的因子を選択する指標となるものであれば、何であっても構わない。さらに、生体信号も指部皮膚温に限定するものではなく、所定の心身状態を判定することができるものであれば、何であっても構わない。
【００３９】
さらにまた、以上説明した実施の形態では、心理療法の患者に対してリラックスさせるための音楽データを提供する場合を例として説明したが、本発明は、これに限定するものではなく、たとえば、受験生や講演者などをリラックスさせる場合、あるいはスポーツ選手の闘争心を駆り立てる場合などに利用してもよい。
【００４０】
さらにまた、以上説明した実施の形態では、心身状態を判定する条件として生体信号を用いるようにしたが、心身状態を判定する条件は生体信号に限定するものではなく、たとえば、ＴＰＯ（Ｔｉｍｅ，Ｐｌａｃｅ，Ｏｃｃａｓｉｏｎ）に応じて心身状態を判定し、対応する音楽データを提供するようにしてもよい。すなわち、あらかじめ患者ＡのＴＰＯごとの心身状態と、対応する音楽データとの関係を収集して記録しておき、患者Ａから提供条件としてＴＰＯに関する情報（たとえば、午後２時から受験する旨）を受付けて心身状態を判定し、対応する音楽データを選択し、提供開始時刻を決定する。
【００４１】
次に、本装置の別の実施の形態について、先に説明した実施の形態と異なる部分を中心に説明する。本実施の形態における本装置は、通信ネットワークを介して、物理的因子を提供する条件の受付と、物理的因子の提供を行うものである。
【００４２】
図４は、本装置の別の実施の形態の例を示す機能ブロック図である。図中の各符号は、１０は本装置、２は患者Ａが用いる端末、３は通信ネットワークを示す。端末２は、通信ネットワーク３を介して、本装置と接続する。
【００４３】
本装置は、端末２と通信ネットワーク３を介して通信データを送受信することができる情報処理装置であればよく、たとえば、パーソナルコンピュータやＵＮＩＸマシンなどがある。
【００４４】
端末２は、図１に示した本装置内の生体信号測定部２１、提供条件入力部２２、物理的因子受信部２３のそれぞれに相当する、生体信号測定部２１Ｘ、提供条件入力部２２Ｘ、物理的因子受信部２３Ｘとを有してなる。端末２の例としては、たとえば、指部皮膚温測定機と音楽データの受信機能を有する携帯電話機とを組合せた携帯情報端末を用いることができる。
【００４５】
通信ネットワーク３の例としては、インターネットやＬＡＮなどのコンピュータ通信網がある。本装置、端末２は、それぞれ通信回線Ｌ１，Ｌ２を介して通信ネットワーク３と接続する。ここで通信回線Ｌ１，Ｌ２は、通信ネットワーク３と接続できるものであればよく、たとえば、専用線、公衆交換電話網（ＰＳＴＮ）、無線電話網、ＣＡＴＶ網、衛星通信網等がある。
【００４６】
本装置はその内部に、被提供者情報記録部１１、提供条件受付部１２、心身状態判定部１３、物理的因子選択部１４、物理的因子提供部１５、とを有してなる。
なお被提供者情報記録部１１には、患者Ａの他に、別の患者の被提供者情報を記録しておき、本装置が、患者を識別する情報を受付けて当該患者に関する被提供者情報を取得できるようにしてもよい。
【００４７】
本実施の形態では、患者Ａは、端末２の生体信号測定部２１Ｘを用いて計測した指部皮膚温と、提供条件入力部２２Ｘを用いて入力した治療開始時刻とを、図示しない端末２の手段を用いて通信ネットワーク３を介して本装置に送信する。本装置は、端末２から送信された患者Ａの指部皮膚温と治療開始時刻とを提供条件受付部１２を用いて受信する（受付ける）。
また、本装置は、物理的因子提供部１５を用いて、選択した音楽データを通信ネットワーク３を介して端末２に送信する（提供する）。患者Ａは、端末２の物理的因子受信部２３Ｘを用いて、本装置から送信された音楽データを受信、つまり音楽データを聴く。
ここで先の実施の形態と同様に、本装置は、決定した音楽データの提供開始時刻あるいはその直前になると、たとえば端末２に発呼、あるいは電子メールを送信するなどして、音楽データの提供開始時刻を患者Ａに通知するようにしてもよく、その際、患者Ａからの許可を受付けた上で音楽データを送信するようにしてもよい。
【００４８】
以上説明した実施の形態によれば、患者Ａは指部皮膚温を測定する機能付きの携帯型の情報端末を用いて、本装置を利用することができる。つまり、患者Ａは、簡易な装置である端末２を携帯すれば、場所を問わずに本装置利用することができる。
【００４９】
なお、以上説明した実施の形態では、患者Ａのストレス度は、本装置で判定するようにしたが、指部皮膚温を測定した後にストレス度を端末２で判定し、その結果を本装置に送信するようにしてもよい。つまり、本装置は、提供条件として指部皮膚温に代えてストレス度を受付けるようにしておき、受付けたストレス度に基づき音楽データを提供するようにしてもよい。
【００５０】
次に、本装置のさらに別の実施の形態について、先に説明した実施の形態と異なる部分を中心に説明する。これまで説明した先のすべての実施の形態では、本装置から物理的因子の提供を受ける者は、あらかじめ被提供者情報が本装置に記録された者であった。しかし本実施の形態は、あらかじめ被提供者情報を収集（記録）していない被提供者に対しても、すでに収集してある別の被提供者の被提供者情報に基づいて、被提供者の脳波を刺激する物理的因子を提供するものである。
以下、あらかじめ被提供者情報が本装置に記録されていない被提供者Ｘが、本装置に物理的因子の提供を要求した場合を例として説明する。
【００５１】
先ず被提供者Ｘは、提供条件を本装置に入力する。ここで、提供条件の例としては、たとえば、先の実施の形態で説明した被提供者Ｘの指部皮膚温や、指部皮膚温から判定したストレス度や、または、質問紙法や投影法などの被提供者Ｘの回答としてもよい。つまり、たとえば本装置は、被提供者Ｘにストレス度を判定するための質問を提供し、被提供者Ｘから質問に対する回答を受付けると、当該回答から被提供者Ｘのストレス度を判定する。また本装置は、質問に対する回答の他に、被提供者Ｘの属性、たとえば性別、年齢なども受付けておく。
次に本装置は、受付けた被提供者Ｘの属性に近似（たとえば同性で同年代など）する被提供者Ｘとは別の被提供者の被提供者情報を参照して、判定したストレス度に基づき、提供する物理的因子を選択する。つまり被提供者Ｘと先の実施の形態で説明した患者Ａが同性で同年代であった場合、本装置は、被提供者情報記録部に記録された患者Ａの被提供者情報を参照して被提供者Ｘに提供する音楽データを選択する。したがって、たとえば被提供者Ｘのストレス度が「低」と判定されると、本装置は、図２に示す被提供者情報記録部に記録された患者Ａの被提供者情報から音楽データＭ３を選択し、被提供者Ｘに提供する。その際、効果時間として「Ｉ３」も取得する。
【００５２】
以上説明した実施の形態によれば、あらかじめ被提供者情報を記録していない患者Ｘから音楽データの要求を受付けた場合であっても、本装置は、すでに記録してある別の被提供者の被提供者情報に基づいて、心身状態を判定し、アルファ波を高めることが期待できる音楽データを選択し、さらには効果時間についても決定することができる。つまり本装置を利用して物理的因子の提供を受けることができる者は、あらかじめ被提供者情報を本装置に記録しておいた者には限定されない。
【００５３】
なお、以上説明した実施の形態において、本装置は、あらかじめ所定の属性で分類しておいた被提供者情報を参照して、被提供者Ｘに提供する音楽データを選択するようにしてもよい。すなわち、たとえば、被提供者情報記録部に記録された被提供者Ｘとは別の複数の被提供者から収集した被提供者情報を、性別、年齢などに応じて分類しておき、被提供者Ｘから受付けた属性と近似する分類の被提供者情報を参照して被提供者情報を提供するようにしてもよい。
【００５４】
【発明の効果】
本発明によれば、被提供者の生体信号から判定した心身状態に応じて、被提供者の脳波を刺激する物理的因子を提供することができる。
また本発明によれば、被提供者の心身状態に応じて、脳波を刺激する物理的因子の提供開始時刻を決定することができ、その結果、被提供者が希望する時刻に脳波が変化していることを期待することができる。
さらに本発明によれば、被提供者の心身状態に応じて、脳波を刺激する物理的因子の属性を変化することができ、その結果、脳波を刺激する効果をさらに高めることができる。
さらにまた本発明によれば、あらかじめ被提供者情報を収集（記録）していない被提供者に対しても、すでに収集してある別の被提供者の被提供者情報に基づいて、被提供者の脳波を刺激する物理的因子を提供することができる。
【図面の簡単な説明】
【図１】本発明にかかる物理的因子提供方法の実施の形態を示すフローチャートである。
【図２】上記物理的因子提供装置内の被提供者情報記録部に記録された情報の例を示す図である。
【図３】本発明にかかる物理的因子提供装置の実施の形態の例を示す機能ブロック図である。
【図４】本発明にかかる物理的因子提供装置の別の実施の形態の例を示す機能ブロック図である。
【符号の説明】
２        被提供者が利用する端末
３        通信ネットワーク
【図１】
0004011324.tif 000002
【図２】
0004011324.tif 000003
【図３】
0004011324.tif 000004
【図４】
0004011324.tif 000005